(57)【要約】【課題】異なるリリース番号のＲＲＣプロトコル機能を搭載した無線基地局が混在する場合のハンドオーバ処理や再接続処理等における不具合を解消する。【解決手段】本発明に係る移動通信方法は、無線基地局ｅＮＢ＃１と無線基地局ｅＮＢ＃２との間でＸ２コネクションを設定する手順において、無線基地局ｅＮＢ＃１が、無線基地局ｅＮＢ＃２に対して、無線基地局ｅＮＢ＃１で使用されているＲＲＣプロトコル機能のリリース番号を通知する工程と、無線基地局ｅＮＢ＃２が、無線基地局ｅＮＢ＃１に対して、無線基地局ｅＮＢ＃２で使用されているＲＲＣプロトコル機能のリリース番号を通知する工程とを有する。【選択図】図１
2011151761.tif 000002
【特許請求の範囲】
【請求項１】
第１無線基地局と第２無線基地局との間でコネクションを設定する手順において、
前記第１無線基地局が、前記第２無線基地局に対して、該第１無線基地局で使用されている所定プロトコル機能のリリース番号を通知する工程Ａと、
前記第２無線基地局が、前記第１無線基地局に対して、該第２無線基地局で使用されている前記所定プロトコル機能のリリース番号を通知する工程Ｂとを有することを特徴とする移動通信方法。
【請求項２】
第１無線基地局において設定されているパラメータが更新された場合に、該第１無線基地局が、該第１無線基地局との間でコネクションが設定されている第２無線基地局に対して、該第１無線基地局で使用されている所定プロトコル機能のリリース番号を通知する工程を有することを特徴とする移動通信方法。
【請求項３】
前記工程において、前記第１無線基地局が、前記第２無線基地局から、該第２無線基地局で使用されている前記所定プロトコル機能のリリース番号を取得することを特徴とする請求項２に記載の移動通信方法。
【請求項４】
第１無線基地局が、移動局から第２無線基地局の識別情報を受信した場合、交換局を介して、該第２無線基地局から、該第２無線基地局で使用されている所定プロトコル機能のリリース番号を取得する工程を有することを特徴とする移動通信方法。
【請求項５】
前記工程において、前記第１無線基地局は、前記第２無線基地局に対して、該第１無線基地局で使用されている前記所定プロトコル機能のリリース番号を通知することを特徴とする請求項４に記載の移動通信方法。
【請求項６】
前記第１無線基地局で使用されている前記所定プロトコル機能のリリース番号が第１リリース番号であり、前記第２無線基地局が前記第１無線基地局の周辺に存在し、前記第２無線基地局で使用されている該所定プロトコル機能のリリース番号が該第１リリース番号よりも古い第２リリース番号である場合で、かつ、移動局が、該第１無線基地局配下のセルにハンドオーバした場合に、該移動局に搭載されている該所定プロトコル機能に関連する設定のうち該第２リリース番号以降で規定された設定を無効にする工程を更に有することを特徴とする請求項１乃至５のいずれか一項に記載の移動通信方法。
【請求項７】
前記第１無線基地局で使用されている前記所定プロトコル機能のリリース番号が第１リリース番号であり、前記第２無線基地局で使用されている該所定プロトコル機能のリリース番号が該第１リリース番号よりも古い第２リリース番号である場合で、かつ、移動局の該第１無線基地局配下のセルから該第２無線基地局配下のセルへのハンドオーバを行うことが決定された場合に、該移動局に搭載されている該所定プロトコル機能に関連する設定のうち該第２リリース番号以降で規定された設定を無効にする工程を更に有することを特徴とする請求項１乃至５のいずれか一項に記載の移動通信方法。
【請求項８】
無線基地局であって、
周辺無線基地局との間でコネクションを設定する手順において、
前記周辺無線基地局に対して、前記無線基地局で使用されている所定プロトコル機能のリリース番号を通知するように構成されている送信部と、
前記周辺無線基地局から、該周辺無線基地局で使用されている前記所定プロトコル機能のリリース番号を取得するように構成されている受信部とを具備することを特徴とする無線基地局。
【請求項９】
無線基地局であって、
前記無線基地局において設定されているパラメータが更新された場合に、該無線基地局との間でコネクションが設定されている周辺無線基地局に対して、該無線基地局で使用されている該所定プロトコル機能のリリース番号を通知するように構成されている送信部を具備することを特徴とする無線基地局。
【請求項１０】
前記無線基地局において設定されているパラメータが更新された場合に、前記周辺無線基地局から、該周辺無線基地局で使用されている前記所定プロトコル機能のリリース番号を取得するように構成されている受信部を更に具備することを特徴とする請求項９に記載の無線基地局。
【請求項１１】
無線基地局であって、
移動局から周辺無線基地局の識別情報を受信した場合、交換局を介して、該周辺無線基地局から、該周辺無線基地局で使用されている前記所定プロトコル機能のリリース番号を取得するように構成されている受信部を具備することを特徴とする無線基地局。
【請求項１２】
前記移動局から前記周辺無線基地局の識別情報を受信した場合、前記交換局を介して、該周辺無線基地局に対して、前記無線基地局で使用されている前記所定プロトコル機能のリリース番号を通知するように構成されている送信部を更に具備することを特徴とする請求項１１に記載の無線基地局。
【請求項１３】
前記無線基地局で使用されている前記所定プロトコル機能のリリース番号が第１リリース番号であり、前記周辺無線基地局で使用されている該所定プロトコル機能のリリース番号が該第１リリース番号よりも古い第２リリース番号である場合で、かつ、移動局が、該無線基地局配下のセルにハンドオーバした場合に、該移動局に搭載されている該所定プロトコル機能に関連する設定のうち該第２リリース番号以降で規定された設定を無効にするように構成されている制御部を更に具備することを特徴とする請求項８乃至１２のいずれか一項に記載の無線基地局。
【請求項１４】
前記無線基地局で使用されている前記所定プロトコル機能のリリース番号が第１リリース番号であり、前記周辺無線基地局で使用されている該所定プロトコル機能のリリース番号が該第１リリース番号よりも古い第２リリース番号である場合で、かつ、移動局の該無線基地局配下のセルから該周辺無線基地局配下のセルへのハンドオーバを行うことが決定された場合に、該移動局に搭載されている該所定プロトコル機能に関連する設定のうち該第２リリース番号以降で規定された設定を無効にするように構成されている制御部を更に具備することを特徴とする請求項８乃至１２のいずれか一項に記載の無線基地局。
【請求項１５】
前記工程Ａにおいて、前記第１無線基地局は、該第１無線基地局に隣接する無線基地局で使用されている前記所定プロトコル機能のリリース番号を通知することを特徴とする請求項１に記載の移動通信方法。
【請求項１６】
前記工程Ａにおいて、前記第１無線基地局は、該第１無線基地局に隣接する無線基地局配下のセルで使用されている前記所定プロトコル機能のリリース番号の各々を通知することを特徴とする請求項１に記載の移動通信方法。
【請求項１７】
前記工程Ａにおいて、前記第１無線基地局は、該第１無線基地局に隣接する無線基地局配下のセルで共通に使用されている前記所定プロトコル機能のリリース番号を通知することを特徴とする請求項１に記載の移動通信方法。
【請求項１８】
前記工程Ｂにおいて、前記第２無線基地局は、該第２無線基地局に隣接する無線基地局で使用されている前記所定プロトコル機能のリリース番号を通知することを特徴とする請求項１に記載の移動通信方法。
【請求項１９】
前記工程Ｂにおいて、前記第２無線基地局は、該第２無線基地局に隣接する無線基地局配下のセルで使用されている前記所定プロトコル機能のリリース番号の各々を通知することを特徴とする請求項１に記載の移動通信方法。
【請求項２０】
前記工程Ｂにおいて、前記第２無線基地局は、該第２無線基地局に隣接する無線基地局配下のセルで共通に使用されている前記所定プロトコル機能のリリース番号を通知することを特徴とする請求項１に記載の移動通信方法。
【請求項２１】
前記工程において、前記第１無線基地局は、前記第２無線基地局に対して、該第１無線基地局に隣接する無線基地局で使用されている所定プロトコル機能のリリース番号を通知することを特徴とする請求項２に記載の移動通信方法。
【請求項２２】
前記工程において、前記第１無線基地局は、前記第２無線基地局に対して、該第１無線基地局に隣接する無線基地局配下のセルで使用されている所定プロトコル機能のリリース番号の各々を通知することを特徴とする請求項２に記載の移動通信方法。
【請求項２３】
前記工程において、前記第１無線基地局は、前記第２無線基地局に対して、該第１無線基地局に隣接する無線基地局配下のセルで共通に使用されている所定プロトコル機能のリリース番号を通知することを特徴とする請求項２に記載の移動通信方法。
【請求項２４】
前記送信部は、前記周辺無線基地局に対して、前記無線基地局に隣接する無線基地局で使用されている前記所定プロトコル機能のリリース番号を通知するように構成されていることを特徴とする請求項８に記載の無線基地局。
【請求項２５】
前記送信部は、前記周辺無線基地局に対して、前記無線基地局に隣接する無線基地局配下のセルで使用されている前記所定プロトコル機能のリリース番号の各々を通知することを特徴とする請求項８に記載の無線基地局。
【請求項２６】
前記送信部は、前記周辺無線基地局に対して、前記無線基地局に隣接する無線基地局配下のセルで共通に使用されている前記所定プロトコル機能のリリース番号を通知することを特徴とする請求項８に記載の無線基地局。
【請求項２７】
前記受信部は、前記周辺無線基地局から、該周辺無線基地局に隣接する無線基地局で使用されている前記所定プロトコル機能のリリース番号を取得するように構成されていることを特徴とする請求項８に記載の無線基地局。
【請求項２８】
前記受信部は、前記周辺無線基地局から、該周辺無線基地局に隣接する無線基地局配下のセルで使用されている前記所定プロトコル機能のリリース番号の各々を取得するように構成されていることを特徴とする請求項８に記載の無線基地局。
【請求項２９】
前記受信部は、前記周辺無線基地局から、該周辺無線基地局に隣接する無線基地局配下のセルで共通に使用されている前記所定プロトコル機能のリリース番号を取得するように構成されていることを特徴とする請求項８に記載の無線基地局。
【請求項３０】
前記送信部は、前記無線基地局において設定されているパラメータが更新された場合に、前記周辺無線基地局に対して、該無線基地局に隣接する無線基地局で使用されている前記所定プロトコル機能のリリース番号を通知するように構成されていることを特徴とする請求項９に記載の無線基地局。
【請求項３１】
前記送信部は、前記無線基地局において設定されているパラメータが更新された場合に、前記周辺無線基地局に対して、該無線基地局に隣接する無線基地局配下のセルで使用されている前記所定プロトコル機能のリリース番号の各々を通知するように構成されていることを特徴とする請求項９に記載の無線基地局。
【請求項３２】
前記送信部は、前記無線基地局において設定されているパラメータが更新された場合に、前記周辺無線基地局に対して、該無線基地局に隣接する無線基地局配下のセルで共通に使用されている前記所定プロトコル機能のリリース番号を通知するように構成されていることを特徴とする請求項９に記載の無線基地局。
【発明の詳細な説明】
【技術分野】
【０００１】
本発明は、移動通信方法及び無線基地局に関する。
【背景技術】
【０００２】
現在、３ＧＰＰにおいて、ＬＴＥ（Ｌｏｎｇ  Ｔｅｒｍ  Ｅｖｏｌｕｔｉｏｎ）方式のさらなる拡張規格の策定作業が進められている。
【０００３】
３ＧＰＰでは、「ＵＴＲＡ（Ｕｎｉｖｅｒｓａｌ  Ｔｅｒｒｅｓｔｒｉａｌ  Ｒａｄｉｏ  Ａｃｃｅｓｓ）」方式及び「ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）」方式や、ＬＴＥ方式の「Ｅｖｏｌｖｅｄ  ＵＴＲＡ（Ｅ-ＵＴＲＡ）」及び「Ｅｖｏｌｖｅｄ  ＵＴＲＡＮ（Ｅ-ＵＴＲＡＮ）」に関する拡張規格が定期的に策定されており、「リリース（Ｒｅｌｅａｓｅ）番号」で拡張機能の版数が管理されている。
【０００４】
かかるＬＴＥ方式は「Ｒｅｌｅａｓｅ  ８」で初めて規定され、現在、「Ｒｅｌｅａｓｅ  ９」における拡張規格の策定作業が進められている。
【先行技術文献】
【非特許文献】
【０００５】
【非特許文献１】３ＧＰＰ  ＴＳ３６.３００（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年９月
【非特許文献２】３ＧＰＰ  ＴＳ３６.４１３（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｓ１  ａｐｐｌｉｃａｔｉｏｎ  ｐｒｏｔｏｃｏｌ  （Ｓ１ＡＰ）」、２００９年１２月
【非特許文献３】３ＧＰＰ  ＴＳ３６.４２３（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年１２月
【非特許文献４】３ＧＰＰ  ＴＳ３６.３３１（Ｖ９.０.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年９月
【発明の概要】
【発明が解決しようとする課題】
【０００６】
しかしながら、図１５に示すように、「Ｒｅｌｅａｓｅ  ９」で規定された「Ｒａｄｉｏ Ｒｅｓｏｕｒｃｅ  Ｃｏｎｔｒｏｌ（ＲＲＣ）プロトコル機能」を搭載したＬＴＥ方式の移動局ＵＥが、「Ｒｅｌｅａｓｅ  ９」で規定されたＲＲＣプロトコル機能を搭載したＬＴＥ方式の無線基地局ｅＮＢ＃１から「Ｒｅｌｅａｓｅ  ８」で規定されたＲＲＣプロトコル機能を搭載したＬＴＥ方式の無線基地局ｅＮＢ＃２にハンドオーバを行う場合、以下のような問題点が発生する。
【０００７】
第１に、無線基地局ｅＮＢ＃１からＸ２インターフェイス若しくはＳ１インターフェイス上で交換局ＭＭＥを経由して無線基地局ｅＮＢ＃２に送信される「（Ｘ２/Ｓ１）ＨＡＮＤＯＶＥＲ  ＲＥＱＵＥＳＴ」によって通知される「Ｈａｎｄｏｖｅｒ  Ｐｒｅｐａｒａｔｉｏｎ  Ｉｎｆｏｒｍａｔｉｏｎ」は、図１６に示すように、例えば、「ｕｅ-ＲａｄｉｏＡｃｃｅｓｓＣａｐａｂｉｌｉｔｙＩｎｆｏ」や「ＡＳ-Ｃｏｎｆｉｇ」といった移動局ＵＥの搭載している無線機能や、移動局ＵＥと無線基地局ｅＮＢ＃１との間で制御信号（Ｃ-ｐｌａｎｅ）及びユーザデータ（Ｕ-ｐｌａｎｅ）を伝送するために用いられている設定情報等が含まれているが、無線基地局ｅＮＢ＃２は、「Ｒｅｌｅａｓｅ  ９」で規定されたＲＲＣプロトコルの拡張機能に関する設定情報について理解することができない。
【０００８】
第２に、「Ｒｅｌｅａｓｅ  ９」で規定されたＲＲＣプロトコル機能を搭載したＬＴＥ方式の移動局ＵＥは、「Ｒｅｌｅａｓｅ  ８」で規定されたＲＲＣプロトコル機能を搭載した無線基地局ｅＮＢ＃２に、ハンドオーバを行う場合、移動局ＵＥにおいて「Ｒｅｌｅａｓｅ  ９」で規定された拡張機能を無効にする必要があるが、無効にする契機及び方法は規定されていない。
【０００９】
また、移動局ＵＥが、「Ｒｅｌｅａｓｅ  ９」で規定されたＲＲＣプロトコル機能を搭載したＬＴＥ方式の無線基地局ｅＮＢ＃１配下のセルにおいて「ＲＬＦ（Ｒａｄｉｏ  Ｌｉｎｋ  Ｆａｉｌｕｒｅ）」を検出した後に、「Ｒｅｌｅａｓｅ  ８」で規定されたＲＲＣプロトコル機能を搭載したＬＴＥ方式の無線基地局ｅＮＢ＃２配下のセルに対して再接続処理を行う場合にも、移動局ＵＥにおいて「Ｒｅｌｅａｓｅ  ９」で規定された拡張機能を無効にする必要があるが、無効にする契機及び方法は規定されていない。
【００１０】
そこで、本発明は、上述の課題に鑑みてなされたものであり、異なるリリース番号のＲＲＣプロトコル機能を搭載した無線基地局が混在する場合のハンドオーバ処理や再接続処理等における不具合を解消することができる移動通信方法及び無線基地局を提供することを目的とする。
【課題を解決するための手段】
【００１１】
本発明の第１の特徴は、移動通信方法であって、第１無線基地局と第２無線基地局との間でコネクションを設定する手順において、前記第１無線基地局が、前記第２無線基地局に対して、該第１無線基地局で使用されている所定プロトコル機能のリリース番号を通知する工程と、前記第２無線基地局が、前記第１無線基地局に対して、該第２無線基地局で使用されている前記所定プロトコル機能のリリース番号を通知する工程とを有することを要旨とする。
【００１２】
本発明の第２の特徴は、移動通信方法であって、第１無線基地局において設定されているパラメータが更新された場合に、該第１無線基地局が、該第１無線基地局との間でコネクションが設定されている第２無線基地局に対して、該第１無線基地局で使用されている所定プロトコル機能のリリース番号を通知する工程を有することを要しとする。
【００１３】
本発明の第３の特徴は、移動通信方法であって、第１無線基地局が、移動局から第２無線基地局の識別情報を受信した場合、交換局を介して、該第２無線基地局から、該第２無線基地局で使用されている所定プロトコル機能のリリース番号を取得する工程を有することを要旨とする。
【００１４】
本発明の第４の特徴は、無線基地局であって、周辺無線基地局との間でコネクションを設定する手順において、前記周辺無線基地局に対して、前記無線基地局で使用されている所定プロトコル機能のリリース番号を通知するように構成されている送信部と、前記周辺無線基地局から、該周辺無線基地局で使用されている前記所定プロトコル機能のリリース番号を取得するように構成されている受信部とを具備することを要旨とする。
【００１５】
本発明の第５の特徴は、無線基地局であって、前記無線基地局において設定されているパラメータが更新された場合に、該無線基地局との間でコネクションが設定されている周辺無線基地局に対して、該無線基地局で使用されている所定プロトコル機能のリリース番号を通知するように構成されている送信部を具備することを要旨とする。
【００１６】
本発明の第６の特徴は、無線基地局であって、移動局から周辺無線基地局の識別情報を受信した場合、交換局を介して、該周辺無線基地局から、該周辺無線基地局で使用されている所定プロトコル機能のリリース番号を取得するように構成されている受信部を具備することを要旨とする。
【発明の効果】
【００１７】
以上説明したように、本発明によれば、異なるリリース番号のＲＲＣプロトコル機能を搭載した無線基地局が混在する場合のハンドオーバ処理や再接続処理等における不具合を解消することができる移動通信方法及び無線基地局を提供することができる。
【図面の簡単な説明】
【００１８】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる「Ｘ２  Ｓｅｔｕｐ  Ｒｅｑｕｅｓｔメッセージ」内の情報要素の一例を示す図である。
【図４】本発明の第１の実施形態に係る移動通信システムで用いられる「Ｓｅｒｖｅｄ  Ｃｅｌｌ  Ｉｎｆｏｒｍａｔｉｏｎメッセージ」内の情報要素の一例を示す図である。
【図５】本発明の第１の実施形態に係る移動通信システムで用いられる「ｅＮＢ  Ｃｏｎｆｉｇｕｒａｔｉｏｎ  Ｕｐｄａｔｅメッセージ」内の情報要素の一例を示す図である。
【図６】本発明の第１の実施形態に係る移動通信システムで用いられる「Ｘ２  Ｓｅｔｕｐ  Ｒｅｓｐｏｎｓｅメッセージ」内の情報要素の一例を示す図である。
【図７】本発明の第１の実施形態に係る移動通信システムにおいて移動局ＵＥの「ＵＥ  Ｃｏｎｆｉｇｕｒａｔｉｏｎ」を再設定する動作について説明するための図である。
【図８】本発明の第１の実施形態に係る移動通信システムにおいて移動局ＵＥの「ＵＥ  Ｃｏｎｆｉｇｕｒａｔｉｏｎ」を再設定する動作について説明するための図である。
【図９】本発明の変更例１に係る移動通信システムについて説明するための図である。
【図１０】本発明の変更例１に係る移動通信システムで用いられる「ｅＮＢ/ＭＭＥ  Ｃｏｎｆｉｇｕｒａｔｉｏｎ  Ｔｒａｎｓｆｅｒメッセージ」内の情報要素の一例を示す図である。
【図１１】本発明の変更例２に係る移動通信システムについて説明するための図である。
【図１２】本発明の変更例３に係る移動通信システムで用いられる「Ｘ２  Ｓｅｔｕｐ  Ｒｅｑｕｅｓｔメッセージ」内の情報要素の一例を示す図である。
【図１３】本発明の変更例３に係る移動通信システムで用いられる「Ｘ２  Ｓｅｔｕｐ  Ｒｅｓｐｏｎｓｅメッセージ」内の情報要素の一例を示す図である。
【図１４】本発明の変更例３に係る移動通信システムで用いられる「ｅＮＢ  Ｃｏｎｆｉｇｕｒａｔｉｏｎ  Ｕｐｄａｔｅメッセージ」内の情報要素の一例を示す図である。
【図１５】従来の移動通信システムの問題点について説明するための図である。
【図１６】従来の移動通信システムの問題点について説明するための図である。
【発明を実施するための形態】
【００１９】
（本発明の第１の実施形態に係る移動通信システム）
図１乃至図８を参照して、本発明の第１の実施形態に係る移動通信システムについて説明する。
【００２０】
図１に示すように、本実施形態に係る移動通信システムは、交換局ＭＭＥ（Ｍｏｂｉｌｉｔｙ  Ｍａｎａｇｅｍｅｎｔ  Ｅｎｔｉｔｙ）＃１と、交換局ＭＭＥ＃２と、「Ｒｅｌｅａｓｅ  １０」で規定されたＲＲＣプロトコル機能を搭載したＬＴＥ方式の無線基地局ｅＮＢ＃１と、ゲートウェイ装置ＨｅＮＢ-ＧＷ（Ｈｏｍｅ  ｅＮＢ  Ｇａｔｅｗａｙ）と、「Ｒｅｌｅａｓｅ  ９」で規定されたＲＲＣプロトコル機能を搭載したＬＴＥ方式の無線基地局ｅＮＢ＃２と、「Ｒｅｌｅａｓｅ  ８」で規定されたＲＲＣプロトコル機能を搭載したＬＴＥ方式の無線基地局ｅＮＢ＃３と、「Ｒｅｌｅａｓｅ  ９」で規定されたＲＲＣプロトコル機能を搭載したＬＴＥ方式の無線基地局ｅＮＢ＃１０と、「Ｒｅｌｅａｓｅ  １０」で規定されたＲＲＣプロトコル機能を搭載したＬＴＥ方式の無線基地局ＨｅＮＢ＃１と、「Ｒｅｌｅａｓｅ  ９」で規定されたＲＲＣプロトコル機能を搭載したＬＴＥ方式の無線基地局ＨｅＮＢ＃２とを具備している。
【００２１】
ここで、交換局ＭＭＥ＃１のプールエリア及び交換局ＭＭＥ＃２のプールエリアは異なるものとし、交換局ＭＭＥ＃１には、ゲートウェイ装置ＨｅＮＢ-ＧＷや無線基地局ｅＮＢ＃１や無線基地局ｅＮＢ＃２や無線基地局ｅＮＢ＃３や無線基地局ＨｅＮＢ＃１等が接続されており、ゲートウェイ装置ＨｅＮＢ-ＧＷには、無線基地局ＨｅＮＢ＃２等が接続されており、交換局ＭＭＥ＃２には、無線基地局ｅＮＢ＃１０等が接続されている。
【００２２】
また、図１の例では、無線基地局ｅＮＢ＃１と無線基地局ｅＮＢ＃２との間、及び、無線基地局ｅＮＢ＃２と無線基地局ｅＮＢ＃３との間で、Ｘ２コネクションが設定されるように構成されている。
【００２３】
すなわち、無線基地局ｅＮＢ＃１と無線基地局ｅＮＢ＃２との間、及び、無線基地局ｅＮＢ＃２と無線基地局ｅＮＢ＃３との間で、「Ｘ２コネクション設定（Ｘ２  ｓｅｔｕｐ）手順」や「無線基地局構成更新（ｅＮＢ  ｃｏｎｆｉｇｕｒａｔｉｏｎ  ｕｐｄａｔｅ）手順」が行われるように構成されている。
【００２４】
一方、図１の例では、無線基地局ｅＮＢ＃１０と無線基地局ｅＮＢ＃１との間、無線基地局ｅＮＢ＃３と無線基地局ＨｅＮＢ＃１との間、及び、無線基地局ＨｅＮＢ＃１と無線基地局ＨｅＮＢ＃２との間では、Ｘ２コネクションが設定されないように構成されている。
【００２５】
すなわち、無線基地局ｅＮＢ＃１０と無線基地局ｅＮＢ＃１との間、無線基地局ｅＮＢ＃３と無線基地局ＨｅＮＢ＃１との間、及び、無線基地局ＨｅＮＢ＃１と無線基地局ＨｅＮＢ＃２との間では、「Ｘ２コネクション設定（Ｘ２  ｓｅｔｕｐ）手順」や「無線基地局構成更新（ｅＮＢ  ｃｏｎｆｉｇｕｒａｔｉｏｎ  ｕｐｄａｔｅ）手順」が行われないように構成されている。
【００２６】
無線基地局ｅＮＢ＃１乃至３の構成は、基本的に同一であるため、以下、まとめて「無線基地局ｅＮＢ」と表示する。
【００２７】
図２に示すように、無線基地局ｅＮＢは、ＮＲＴ記憶部１１と、送信部１２と、受信部１３とを具備している。
【００２８】
ＮＲＴ記憶部１１は、周辺無線基地局に係る情報が登録される「ＮＲＴ（Ｎｅｉｇｈｂｏｒ  Ｒｅｌａｔｉｏｎ  Ｔａｂｌｅ）」を記憶するように構成されている。
【００２９】
例えば、かかる周辺無線基地局に係る情報には、周辺無線基地局が対応するＬＴＥ方式のリリース番号、すなわち、周辺無線基地局に搭載されているＲＲＣ（Ｒａｄｉｏ  Ｒｅｓｏｕｒｃｅ  Ｃｏｎｔｒｏｌ）プロトコル機能のリリース番号（例えば、Ｒｅｌｅａｓｅ  ８/Ｒｅｌｅａｓｅ  ９/Ｒｅｌｅａｓｅ  １０）が含まれている。
【００３０】
送信部１２は、周辺無線基地局との間でＸ２コネクションを設定する手順、すなわち、周辺無線基地局との間で行われる「Ｘ２  ｓｅｔｕｐ手順」において、周辺無線基地局に対して、無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されている。
【００３１】
或いは、送信部１２は、無線基地局ｅＮＢにおいて設定されているパラメータを更新した場合に、すなわち、「ｅＮＢ  ｃｏｎｆｉｇｕｒａｔｉｏｎ  ｕｐｄａｔｅ手順」において、周辺無線基地局に対して、無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されていてもよい。
【００３２】
例えば、送信部１２は、図３に示すように、周辺無線基地局に送信する「Ｘ２  Ｓｅｔｕｐ  Ｒｅｑｕｅｓｔメッセージ」内の「Ｎｅｉｇｈｂｏｒ  Ｉｎｆｏｒｍａｔｉｏｎ」に関する情報要素「ＲＲＣ  Ｐｒｏｔｏｃｏｌ  Ｒｅｌｅａｓｅ」で、無線基地局ｅＮＢに隣接する無線基地局ｅＮＢで使用されているＲＲＣプロトコル機能のリリース番号を設定するように構成されていてもよい。
【００３３】
また、送信部１２は、図４に示すように、周辺無線基地局に送信する「Ｓｅｒｖｅｄ  Ｃｅｌｌ  Ｉｎｆｏｒｍａｔｉｏｎメッセージ」内の情報要素「ＲＲＣ  Ｐｒｏｔｏｃｏｌ  Ｒｅｌｅａｓｅ」で、無線基地局ｅＮＢで使用されているＲＲＣプロトコル機能のリリース番号を設定するように構成されていてもよい。
【００３４】
或いは、送信部１２は、図５に示すように、周辺無線基地局に送信する「ｅＮＢ  Ｃｏｎｆｉｇｕｒａｔｉｏｎ  Ｕｐｄａｔｅメッセージ」内の情報要素「ＲＲＣ  Ｐｒｏｔｏｃｏｌ  Ｒｅｌｅａｓｅ」で、無線基地局ｅＮＢ及び隣接する無線基地局ｅＮＢで使用されているＲＲＣプロトコル機能のリリース番号を設定するように構成されていてもよい。
【００３５】
受信部１３は、周辺無線基地局との間でＸ２コネクションを設定する手順、すなわち、周辺無線基地局との間で行われる「Ｘ２  ｓｅｔｕｐ手順」において、周辺無線基地局から、周辺無線基地局で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得するように構成されている。
【００３６】
例えば、受信部１３は、図６に示すように、周辺無線基地局から受信した「Ｘ２  Ｓｅｔｕｐ  Ｒｅｓｐｏｎｓｅメッセージ」内の情報要素「ＲＲＣ  Ｐｒｏｔｏｃｏｌ  Ｒｅｌｅａｓｅ」から、周辺無線基地局で使用されているＲＲＣプロトコル機能のリリース番号を取得するように構成されていてもよい。
【００３７】
また、受信部１３は、無線基地局ｅＮＢ＃１において設定されているパラメータを更新した場合に、すなわち、「ｅＮＢ  ｃｏｎｆｉｇｕｒａｔｉｏｎ  ｕｐｄａｔｅ手順」において、周辺無線基地局から、周辺無線基地局で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得するように構成されていてもよい。
【００３８】
制御部１４は、例えば、図７に示すように、移動局ＵＥが、周辺に「Ｒｅｌｅａｓｅ  ８」で規定されたＲＲＣプロトコル機能を搭載した無線基地局が隣接する「Ｒｅｌｅａｓｅ  ９」で規定されたＲＲＣプロトコル機能を搭載した無線基地局配下のセルにハンドオーバした際に、移動局ＵＥに搭載されているＲＲＣプロトコル機能に関連する設定のうち「Ｒｅｌｅａｓｅ  ８」以降（例えば、Ｒｅｌｅａｓｅ  ９/Ｒｅｌｅａｓｅ  １０/Ｒｅｌｅａｓｅ  １１等）で規定された設定を無効にするように構成されている。
【００３９】
また、制御部１４は、例えば、図８に示すように、移動局ＵＥの無線基地局ｅＮＢ配下のセルから周辺無線基地局配下のセルへのハンドオーバを行うことが決定された場合に、移動局ＵＥに搭載されているＲＲＣプロトコル機能に関連する設定のうち「Ｒｅｌｅａｓｅ  ８」以降（例えば、Ｒｅｌｅａｓｅ  ９/Ｒｅｌｅａｓｅ  １０/Ｒｅｌｅａｓｅ  １１等）で規定された設定を無効にするように構成されていてもよい。
【００４０】
具体的には、図８に示すように、ステップＳ１０１において、移動局ＵＥが、無線基地局ｅＮＢ（図８の例では、無線基地局ｅＮＢ＃１）に対して、「Ｍｅａｓｕｒｅｍｅｎｔ  Ｒｅｐｏｒｔ（測定報告）」を送信し、ステップＳ１０２において、無線基地局ｅＮＢが、かかる「Ｍｅａｓｕｒｅｍｅｎｔ  Ｒｅｐｏｒｔ」に基づいて、移動局ＵＥの無線基地局ｅＮＢ配下のセルから周辺無線基地局（図８の例では、無線基地局ｅＮＢ＃２）配下のセルへのハンドオーバを行うことが決定する。
【００４１】
その後、無線基地局ｅＮＢは、ステップＳ１０３Ａにおいて、ハンドオーバ先無線基地局に対して「ＨＡＮＤＯＶＥＲ  ＲＥＱＵＥＳＴ」を送信すると同時に、若しくは、ハンドオーバ先無線基地局から「ＨＡＮＤＯＶＥＲ  ＲＥＱＵＥＳＴ  ＡＣＫＮＯＷＬＥＤＧＥ」を受信した後、ステップＳ１０３Ｂにおいて、移動局ＵＥとの間で「ＲＲＣ  Ｒｅｃｏｎｆｉｇｕｒａｔｉｏｎ手順」を行うことによって、移動局ＵＥに搭載されているＲＲＣプロトコル機能に関連する設定のうち「Ｒｅｌｅａｓｅ  ８」以降（例えば、Ｒｅｌｅａｓｅ  ９/Ｒｅｌｅａｓｅ  １０/Ｒｅｌｅａｓｅ  １１等）で規定された設定を無効にする。
【００４２】
なお、図７及び図８の例では、無線基地局ｅＮＢで使用されているＲＲＣプロトコル機能のリリース番号が「Ｒｅｌｅａｓｅ  ９」であり、周辺無線基地局で使用されているＲＲＣプロトコル機能のリリース番号が「Ｒｅｌｅａｓｅ  ９」よりも古い「Ｒｅｌｅａｓｅ  ８」であるものとする。
【００４３】
本発明の第１の実施形態に係る移動通信システムによれば、移動局ＵＥに係るハンドオーバ処理及び再接続処理が行われる前に、無線基地局ｅＮＢが周辺無線基地局で使用されているＲＲＣプロトコル機能のリリース番号を知ることができるので、ハンドオーバ元無線基地局とハンドオーバ先無線基地局との間、及び、再接続元無線基地局と再接続先無線基地局との間で、使用するＲＲＣプロトコル機能のリリース番号を同一にすることで、ハンドオーバ処理や再接続処理等における不具合を解消することができる。
【００４４】
（変更例１）
図９及び図１０を参照して、上述の第１の実施形態に係る移動通信システムの変更例１について説明する。以下、本変更例１に係る移動通信システムについて、上述の第１の実施形態に係る移動通信システムとの相違点に着目して説明する。
【００４５】
無線基地局ｅＮＢの送信部１２は、移動局ＵＥから周辺無線基地局の識別情報（ｅＮＢ-ＩＤ）を受信した場合、交換局ＭＭＥを介して、かかる周辺無線基地局に対して、かかる無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されている。
【００４６】
また、無線基地局ｅＮＢの受信部１３は、移動局ＵＥから周辺無線基地局の識別情報（ｅＮＢ-ＩＤ）を受信した場合、交換局ＭＭＥを介して、かかる周辺無線基地局から、かかる周辺無線基地局で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得するように構成されている。
【００４７】
以下、図９及び図１０を参照して、本変更例１に係る移動通信システムの動作について説明する。
【００４８】
図９に示すように、ステップＳ２０１において、例えば、「ＡＮＲ（Ａｕｔｏｍａｔｉｃ  Ｎｅｉｇｈｂｏｕｒ  Ｒｅｌａｔｉｏｎ）」を用いて、移動局ＵＥは、無線基地局ｅＮＢ＃１の指示により無線基地局ｅＮＢ＃２の報知情報を読み、無線基地局ｅＮＢ＃１に対して、無線基地局ｅＮＢ＃２に係る「ＥＣＧＩ（Ｅｎｈａｎｃｅｄ  Ｃｅｌｌ  Ｇｌｏｂａｌ  Ｉｄｅｎｔｉｆｉｃａｔｉｏｎ）」及び「ＴＡＣ（Ｔｒａｃｋｉｎｇ  Ａｒｅａ  Ｃｏｄｅ）」を送信する。
【００４９】
ステップＳ２０２において、無線基地局ｅＮＢ＃１は、ＮＲＴ記憶部１１に、無線基地局ｅＮＢ＃２で使用されているＲＲＣプロトコル機能のリリース番号が登録されていない場合に、交換局ＭＭＥに対して、上述の無線基地局ｅＮＢ＃２の「Ｅ-ＣＧＩ」から導き出される無線基地局ｅＮＢ＃２の「ｅＮＢ-ＩＤ」及び「ＴＡＣ」から導き出される「Ｔｒａｃｋｉｎｇ  Ａｒｅａ  ＩＤ（ＴＡＩ）」を含む「ｅＮＢ  Ｃｏｎｆｉｇｕｒａｔｉｏｎ  Ｔｒａｎｓｆｅｒ」を送信する。
【００５０】
ここで、無線基地局ｅＮＢ＃１は、交換局ＭＭＥに対して、「ｅＮＢ  Ｃｏｎｆｉｇｕｒａｔｉｏｎ  Ｔｒａｎｓｆｅｒ」によって、無線基地局ｅＮＢ＃１で使用されているＲＲＣプロトコル機能のリリース番号を通知してもよい。
【００５１】
ステップＳ２０３において、交換局ＭＭＥは、無線基地局ｅＮＢ＃２に対して、上述の無線基地局ｅＮＢ＃２の「ｅＮＢ-ＩＤ」及び「ＴＡI」を含む「ＭＭＥ  Ｃｏｎｆｉｇｕｒａｔｉｏｎ  Ｔｒａｎｓｆｅｒ」を送信する。
【００５２】
ステップＳ２０４において、無線基地局ｅＮＢ＃２は、交換局ＭＭＥに対して、無線基地局ｅＮＢ＃２で使用されているＲＲＣプロトコル機能のリリース番号を含む「ｅＮＢ  Ｃｏｎｆｉｇｕｒａｔｉｏｎ  Ｔｒａｎｓｆｅｒ」を送信する。
【００５３】
ここで、図１０に示すように、かかる「ｅＮＢ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｐｌｙ」内の情報要素「ＲＲＣ  Ｐｒｏｔｏｃｏｌ  Ｒｅｌｅａｓｅ  Ｉｎｆｏ」に、無線基地局ｅＮＢ＃２で使用されているＲＲＣプロトコル機能のリリース番号が設定されてもよい。
【００５４】
なお、無線基地局ｅＮＢ＃２は、受信した「ＭＭＥ  Ｃｏｎｆｉｇｕｒａｔｉｏｎ  Ｔｒａｎｓｆｅｒ」に無線基地局ｅＮＢ＃１で使用されているＲＲＣプロトコル機能のリリース番号が含まれている場合、かかる無線基地局ｅＮＢ＃１で使用されているＲＲＣプロトコル機能のリリース番号を、ＮＲＴ記憶部１１に登録する。
【００５５】
ステップＳ２０５において、交換局ＭＭＥは、無線基地局ｅＮＢ＃１に対して、無線基地局ｅＮＢ＃２で使用されているＲＲＣプロトコル機能のリリース番号を含む「ＭＭＥ  Ｃｏｎｆｉｇｕｒａｔｉｏｎ  Ｔｒａｎｓｆｅｒ」を送信する。
【００５６】
ここで、図１０に示すように、かかる「ＭＭＥ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｐｌｙ」内の情報要素「ＲＲＣ  Ｐｒｏｔｏｃｏｌ  Ｒｅｌｅａｓｅ  Ｉｎｆｏ」に、無線基地局ｅＮＢ＃２で使用されているＲＲＣプロトコル機能のリリース番号が設定されてもよい。
【００５７】
無線基地局ｅＮＢ＃１は、受信した「ＭＭＥ  Ｃｏｎｆｉｇｕｒａｔｉｏｎ  Ｔｒａｎｓｆｅｒ」から、無線基地局ｅＮＢ＃２で使用されているＲＲＣプロトコル機能のリリース番号を取得して、ＮＲＴ記憶部１１に登録する。
【００５８】
なお、図９の動作は、無線基地局ｅＮＢ＃１と無線基地局ｅＮＢ＃２との間、及び、無線基地局ｅＮＢ＃２と無線基地局ｅＮＢ＃３との間だけではなく、無線基地局ｅＮＢ＃１０と無線基地局ｅＮＢ＃１との間、無線基地局ｅＮＢ＃３と無線基地局ＨｅＮＢ＃１との間、及び、無線基地局ＨｅＮＢ＃１と無線基地局ＨｅＮＢ＃２との間にも適用可能である。
【００５９】
（変更例２）
図１１を参照して、上述の第１の実施形態に係る移動通信システムの変更例２について説明する。以下、本変更例２に係る移動通信システムについて、上述の第１の実施形態に係る移動通信システムとの相違点に着目して説明する。
【００６０】
以下、図１１を参照して、本変更例２に係る移動通信システムの動作について説明する。
【００６１】
図１１に示すように、ステップＳ３０１において、無線基地局ｅＮＢ＃１は、使用するＲＲＣプロトコル機能のリリース番号を「Ｒｅｌｅａｓｅ  ９」から「Ｒｅｌｅａｓｅ  ８」に変更した場合、交換局ＭＭＥに対して、変更後の無線基地局ｅＮＢ＃１で使用されるＲＲＣプロトコル機能のリリース番号「Ｒｅｌｅａｓｅ  ８」を含む「ｅＮＢ  Ｃｏｎｆｉｇｕｒａｔｉｏｎ  Ｔｒａｎｓｆｅｒ」を送信し、交換局ＭＭＥは、無線基地局ｅＮＢ＃２に対して、変更後の無線基地局ｅＮＢ＃１で使用されるＲＲＣプロトコル機能のリリース番号「Ｒｅｌｅａｓｅ  ８」を含む「ＭＭＥ  Ｃｏｎｆｉｇｕｒａｔｉｏｎ  Ｔｒａｎｓｆｅｒ」を送信する。
【００６２】
無線基地局ｅＮＢ＃２は、受信した「ＭＭＥ  Ｃｏｎｆｉｇｕｒａｔｉｏｎ  Ｔｒａｎｓｆｅｒ」から、変更後の無線基地局ｅＮＢ＃１で使用されるＲＲＣプロトコル機能のリリース番号「Ｒｅｌｅａｓｅ  ８」を取得して、ＮＲＴ記憶部１１に登録する。
【００６３】
ステップＳ３０２において、無線基地局ｅＮＢ＃２は、交換局ＭＭＥに対して、無線基地局ｅＮＢ＃２で使用されているＲＲＣプロトコル機能のリリース番号「Ｒｅｌｅａｓｅ  ９」を含む「ｅＮＢ  Ｃｏｎｆｉｇｕｒａｔｉｏｎ  Ｔｒａｎｓｆｅｒ」を送信し、交換局ＭＭＥは、無線基地局ｅＮＢ＃１に対して、無線基地局ｅＮＢ＃２で使用されているＲＲＣプロトコル機能のリリース番号「Ｒｅｌｅａｓｅ  ９」を含む「ＭＭＥ  Ｃｏｎｆｉｇｕｒａｔｉｏｎ  Ｔｒａｎｓｆｅｒ」を送信する。
【００６４】
無線基地局ｅＮＢ＃１は、受信した「ＭＭＥ  Ｃｏｎｆｉｇｕｒａｔｉｏｎ  Ｔｒａｎｓｆｅｒ」から、無線基地局ｅＮＢ＃２で使用されているＲＲＣプロトコル機能のリリース番号「Ｒｅｌｅａｓｅ  ９」を取得して、ＮＲＴ記憶部１１に登録する。
【００６５】
（変更例３）
図１２乃至図１４を参照して、上述の第１の実施形態に係る移動通信システムの変更例３について説明する。以下、本変更例３に係る移動通信システムについて、上述の第１の実施形態に係る移動通信システムとの相違点に着目して説明する。
【００６６】
上述の第１の実施形態に係る移動通信システムでは、無線基地局ｅＮＢ＃１と無線基地局ｅＮＢ＃２との間でＸ２コネクションを設定する手順において、すなわち、「Ｘ２  ｓｅｔｕｐ手順」において、無線基地局ｅＮＢ＃１の送信部１２は、無線基地局ｅＮＢ＃２に対して、例えば、図３に示す「Ｘ２  Ｓｅｔｕｐ  Ｒｅｑｕｅｓｔメッセージ」内の「Ｎｅｉｇｈｂｏｒ  Ｉｎｆｏｒｍａｔｉｏｎ」に関する情報要素「ＲＲＣ  Ｐｒｏｔｏｃｏｌ  Ｒｅｌｅａｓｅ」によって、無線基地局ｅＮＢに隣接する無線基地局ｅＮＢ＃１配下のセルで使用されているＲＲＣプロトコル機能のリリース番号（例えば、Ｒｅｌｅａｓｅ  ８/Ｒｅｌｅａｓｅ  ９/Ｒｅｌｅａｓｅ  １０）の各々を通知するように構成されている。
【００６７】
これに対して、本変更例３に係る移動通信システムでは、無線基地局ｅＮＢ＃１と無線基地局ｅＮＢ＃２との間でＸ２コネクションを設定する手順において、すなわち、「Ｘ２  ｓｅｔｕｐ手順」において、無線基地局ｅＮＢ＃１の送信部１２は、無線基地局ｅＮＢ＃２に対して、例えば、図１２に示す「Ｘ２  Ｓｅｔｕｐ  Ｒｅｑｕｅｓｔメッセージ」内の情報要素「ＲＲＣ  Ｐｒｏｔｏｃｏｌ  Ｒｅｌｅａｓｅ」によって、無線基地局ｅＮＢ＃１に隣接する無線基地局ｅＮＢ配下のセルで共通に使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されている。
【００６８】
また、上述の第１の実施形態に係る移動通信システムでは、無線基地局ｅＮＢ＃１と無線基地局ｅＮＢ＃２との間でＸ２コネクションを設定する手順において、すなわち、「Ｘ２  ｓｅｔｕｐ手順」において、無線基地局ｅＮＢ＃１の受信部１２は、無線基地局ｅＮＢ＃２から、例えば、図６に示す「Ｘ２  Ｓｅｔｕｐ  Ｒｅｓｐｏｎｓｅメッセージ」内の「Ｎｅｉｇｈｂｏｒ  Ｉｎｆｏｒｍａｔｉｏｎ」に関する情報要素「ＲＲＣ  Ｐｒｏｔｏｃｏｌ  Ｒｅｌｅａｓｅ」によって、無線基地局ｅＮＢ＃２に隣接する無線基地局ｅＮＢ配下のセルで使用されているＲＲＣプロトコル機能のリリース番号（例えば、Ｒｅｌｅａｓｅ  ８/Ｒｅｌｅａｓｅ  ９/Ｒｅｌｅａｓｅ  １０）の各々を取得するように構成されている。
【００６９】
これに対して、本変更例３に係る移動通信システムでは、無線基地局ｅＮＢ＃１と無線基地局ｅＮＢ＃２との間でＸ２コネクションを設定する手順において、すなわち、「Ｘ２  ｓｅｔｕｐ手順」において、無線基地局ｅＮＢ＃１の受信部１２は、無線基地局ｅＮＢ＃２から、例えば、図１３に示す「Ｘ２  Ｓｅｔｕｐ  Ｒｅｓｐｏｎｓｅメッセージ」内の情報要素「ＲＲＣ  Ｐｒｏｔｏｃｏｌ  Ｒｅｌｅａｓｅ」によって、無線基地局ｅＮＢ＃２に隣接する無線基地局ｅＮＢ配下のセルで共通に使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得するように構成されている。
【００７０】
また、上述の第１の実施形態に係る移動通信システムでは、無線基地局ｅＮＢ＃１の送信部１２は、無線基地局ｅＮＢ＃１において設定されているパラメータを更新した場合に、すなわち、「ｅＮＢ  ｃｏｎｆｉｇｕｒａｔｉｏｎ  ｕｐｄａｔｅ手順」において、無線基地局ｅＮＢ＃２に対して、「ｅＮＢ  Ｃｏｎｆｉｇｕｒａｔｉｏｎ  Ｕｐｄａｔｅメッセージ」内の「Ｎｅｉｇｈｂｏｒ  Ｉｎｆｏｒｍａｔｉｏｎ」に関する情報要素「ＲＲＣ  Ｐｒｏｔｏｃｏｌ  Ｒｅｌｅａｓｅ」によって、無線基地局ｅＮＢ＃１に隣接する無線基地局ｅＮＢ配下のセルで使用されているＲＲＣプロトコル機能のリリース番号（例えば、Ｒｅｌｅａｓｅ  ８/Ｒｅｌｅａｓｅ  ９/Ｒｅｌｅａｓｅ  １０）の各々を通知するように構成されている。
【００７１】
これに対して、本変更例３に係る移動通信システムでは、無線基地局ｅＮＢ＃１の送信部１２は、無線基地局ｅＮＢ＃１において設定されているパラメータを更新した場合に、すなわち、「ｅＮＢ  ｃｏｎｆｉｇｕｒａｔｉｏｎ  ｕｐｄａｔｅ手順」において、無線基地局ｅＮＢ＃２に対して、「ｅＮＢ  Ｃｏｎｆｉｇｕｒａｔｉｏｎ  Ｕｐｄａｔｅメッセージ」内の情報要素「ＲＲＣ  Ｐｒｏｔｏｃｏｌ  Ｒｅｌｅａｓｅ」によって、無線基地局ｅＮＢ＃１に隣接する無線基地局ｅＮＢ配下のセルで共通に使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されている。
【００７２】
以上に述べた本実施形態の特徴は、以下のように表現されていてもよい。
【００７３】
本実施形態の第１の特徴は、移動通信方法であって、無線基地局ｅＮＢ＃１（第１無線基地局）と無線基地局ｅＮＢ＃２（第２無線基地局）との間でＸ２コネクション（コネクション）を設定する手順において、無線基地局ｅＮＢ＃１が、無線基地局ｅＮＢ＃２に対して、無線基地局ｅＮＢ＃１で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知する工程Ａと、無線基地局ｅＮＢ＃２が、無線基地局ｅＮＢ＃１に対して、無線基地局ｅＮＢ＃２で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知する工程Ｂとを有することを要旨とする。
【００７４】
本実施形態の第１の特徴において、工程Ａにおいて、無線基地局ｅＮＢ＃１は、無線基地局ｅＮＢ＃１に隣接する無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知してもよい。
【００７５】
本実施形態の第１の特徴において、工程Ａにおいて、無線基地局ｅＮＢ＃１は、無線基地局ｅＮＢ＃１に隣接する無線基地局ｅＮＢ配下のセルで使用されているＲＲＣプロトコル機能のリリース番号（例えば、Ｒｅｌｅａｓｅ  ８/Ｒｅｌｅａｓｅ  ９/Ｒｅｌｅａｓｅ  １０）の各々を通知してもよい。
【００７６】
本実施形態の第１の特徴において、工程Ａにおいて、無線基地局ｅＮＢ＃１は、無線基地局ｅＮＢ＃１に隣接する無線基地局ｅＮＢ配下のセルで共通に使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知してもよい。
【００７７】
本実施形態の第１の特徴において、工程Ｂにおいて、無線基地局ｅＮＢ＃２は、無線基地局ｅＮＢ＃２に隣接する無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知してもよい。
【００７８】
本実施形態の第１の特徴において、工程Ｂにおいて、無線基地局ｅＮＢ＃２は、無線基地局ｅＮＢ＃２に隣接する無線基地局ｅＮＢ配下のセルで使用されているＲＲＣプロトコル機能のリリース番号（例えば、Ｒｅｌｅａｓｅ  ８/Ｒｅｌｅａｓｅ  ９/Ｒｅｌｅａｓｅ  １０）の各々を通知してもよい。
【００７９】
本実施形態の第１の特徴において、工程Ｂにおいて、無線基地局ｅＮＢ＃２は、無線基地局ｅＮＢ＃２に隣接する無線基地局ｅＮＢ配下のセルで共通に使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知してもよい。
【００８０】
本実施形態の第２の特徴は、移動通信方法であって、無線基地局ｅＮＢ＃１において設定されているパラメータを更新した場合に、無線基地局ｅＮＢ＃１が、無線基地局ｅＮＢ＃２との間でＸ２コネクションが設定されている無線基地局ｅＮＢ＃２に対して、無線基地局ｅＮＢ＃１で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知する工程を有することを要旨とする。
【００８１】
本実施形態の第２特徴において、上述の工程において、無線基地局ｅＮＢ＃１は、無線基地局ｅＮＢ＃２から、無線基地局ｅＮＢ＃２で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得してもよい。
【００８２】
本実施形態の第２特徴において、上述の工程において、無線基地局ｅＮＢ＃１は、無線基地局ｅＮＢ＃２に対して、無線基地局ｅＮＢ＃１に隣接する無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知してもよい。
【００８３】
本実施形態の第２特徴において、上述の工程において、無線基地局ｅＮＢ＃１は、無線基地局ｅＮＢ＃２に対して、無線基地局ｅＮＢ＃１に隣接する無線基地局ｅＮＢ配下のセルで使用されているＲＲＣプロトコル機能のリリース番号（例えば、Ｒｅｌｅａｓｅ  ８/Ｒｅｌｅａｓｅ  ９/Ｒｅｌｅａｓｅ  １０）の各々を通知してもよい。
【００８４】
本実施形態の第２特徴において、上述の工程において、無線基地局ｅＮＢ＃１は、無線基地局ｅＮＢ＃２に対して、無線基地局ｅＮＢ＃１に隣接する無線基地局ｅＮＢ配下のセルで共通に使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知してもよい。
【００８５】
本実施形態の第３の特徴は、移動通信方法であって、無線基地局ｅＮＢ＃１が、移動局ＵＥから無線基地局ｅＮＢ＃２の識別情報（ｅＮＢ-ＩＤ）を受信した場合、交換局ＭＭＥを介して、無線基地局ｅＮＢ＃２から、無線基地局ｅＮＢ＃２で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得する工程を有することを要旨とする。
【００８６】
本実施形態の第３の特徴において、上述の工程において、無線基地局ｅＮＢ＃１が、無線基地局ｅＮＢ＃２に対して、無線基地局ｅＮＢ＃１で使用されているＲＲＣプロトコル機能のリリース番号を通知してもよい。
【００８７】
本実施形態の第１乃至第３の特徴において、無線基地局ｅＮＢ＃１で使用されているＲＲＣプロトコル機能のリリース番号が「Ｒｅｌｅａｓｅ  ９（第１リリース番号）」であり、無線基地局ｅＮＢ＃２が無線基地局ｅＮＢ＃１の周辺に存在し、無線基地局ｅＮＢ＃２で使用されているＲＲＣプロトコル機能のリリース番号が「Ｒｅｌｅａｓｅ  ９」よりも古い「Ｒｅｌｅａｓｅ  ８（第２リリース番号）」である場合で、かつ、移動局ＵＥが、無線基地局ｅＮＢ＃１配下のセルにハンドオーバした場合に、移動局ＵＥに搭載されているＲＲＣプロトコル機能に関連する設定のうち「Ｒｅｌｅａｓｅ  ８」以降（例えば、Ｒｅｌｅａｓｅ  ９/Ｒｅｌｅａｓｅ  １０/Ｒｅｌｅａｓｅ  １１等）で規定された設定を無効にするように構成されていてもよい。
【００８８】
本実施形態の第１乃至第３の特徴において、無線基地局ｅＮＢ＃１で使用されているＲＲＣプロトコル機能のリリース番号が「Ｒｅｌｅａｓｅ  ９」であり、無線基地局ｅＮＢ＃２で使用されているＲＲＣプロトコル機能のリリース番号が「Ｒｅｌｅａｓｅ  ９」よりも古い「Ｒｅｌｅａｓｅ  ８」である場合で、かつ、移動局ＵＥの無線基地局ｅＮＢ＃１配下のセルから無線基地局ｅＮＢ＃２配下のセルへのハンドオーバを行うことが決定された場合に、移動局ＵＥに搭載されているＲＲＣプロトコル機能に関連する設定のうち「Ｒｅｌｅａｓｅ  ８」以降（例えば、Ｒｅｌｅａｓｅ  ９/Ｒｅｌｅａｓｅ  １０/Ｒｅｌｅａｓｅ  １１等）で規定された設定を無効にするように構成されていてもよい。
【００８９】
本実施形態の第４の特徴は、無線基地局ｅＮＢ＃１であって、周辺無線基地局ｅＮＢ＃２との間でＸ２コネクションを設定する手順において、周辺無線基地局ｅＮＢ＃２に対して、無線基地局ｅＮＢ＃１で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されている送信部１２と、周辺無線基地局ｅＮＢ＃２から、周辺無線基地局ｅＮＢ＃２で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得するように構成されている受信部１３とを具備することを要旨とする。
【００９０】
本実施形態の第４の特徴において、送信部１２は、周辺無線基地局ｅＮＢ＃２に対して、無線基地局ｅＮＢ＃１に隣接する無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されていてもよい。
【００９１】
本実施形態の第４の特徴において、送信部１２は、周辺無線基地局ｅＮＢ＃２に対して、無線基地局ｅＮＢ＃１に隣接する無線基地局ｅＮＢ配下のセルで使用されているＲＲＣプロトコル機能のリリース番号（例えば、Ｒｅｌｅａｓｅ  ８/Ｒｅｌｅａｓｅ  ９/Ｒｅｌｅａｓｅ  １０）の各々を通知するように構成されていてもよい。
【００９２】
本実施形態の第４の特徴において、送信部１２は、周辺無線基地局ｅＮＢ＃２に対して、無線基地局ｅＮＢ＃１に隣接する無線基地局ｅＮＢ配下のセルで共通に使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されていてもよい。
【００９３】
本実施形態の第４の特徴において、受信部１３は、周辺無線基地局ｅＮＢ＃２から、周辺無線基地局ｅＮＢ＃２に隣接する無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得するように構成されていてもよい。
【００９４】
本実施形態の第４の特徴において、受信部１３は、周辺無線基地局ｅＮＢ＃２から、周辺無線基地局ｅＮＢ＃２に隣接する無線基地局ｅＮＢ配下のセルで使用されているＲＲＣプロトコル機能のリリース番号（例えば、Ｒｅｌｅａｓｅ  ８/Ｒｅｌｅａｓｅ  ９/Ｒｅｌｅａｓｅ  １０）の各々を取得するように構成されていてもよい。
【００９５】
本実施形態の第４の特徴において、受信部１３は、周辺無線基地局ｅＮＢ＃２から、周辺無線基地局ｅＮＢ＃２に隣接する無線基地局ｅＮＢ配下のセルで共通に使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得するように構成されていてもよい。
【００９６】
本実施形態の第５の特徴は、無線基地局ｅＮＢ＃１であって、無線基地局ｅＮＢ＃１において設定されているパラメータを更新した場合に、無線基地局ｅＮＢ＃１との間でＸ２コネクションが設定されている周辺無線基地局ｅＮＢ＃２に対して、無線基地局ｅＮＢ＃１で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されている送信部１２を具備することを要旨とする。
【００９７】
本実施形態の第５の特徴において、無線基地局ｅＮＢ＃１において設定されているパラメータを更新した場合に、周辺無線基地局ｅＮＢ＃２から、周辺無線基地局ｅＮＢ＃２で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得するように構成されている受信部１３を更に具備してもよい。
【００９８】
本実施形態の第５の特徴において、送信部１２は、無線基地局ｅＮＢ＃１において設定されているパラメータが更新された場合に、周辺無線基地局ｅＮＢ＃２に対して、無線基地局ｅＮＢ＃１に隣接する無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されていてもよい。
【００９９】
本実施形態の第５の特徴において、送信部１２は、無線基地局ｅＮＢ＃１において設定されているパラメータが更新された場合に、周辺無線基地局ｅＮＢ＃２に対して、無線基地局ｅＮＢ＃１に隣接する無線基地局ｅＮＢ配下のセルで使用されているＲＲＣプロトコル機能のリリース番号（例えば、Ｒｅｌｅａｓｅ  ８/Ｒｅｌｅａｓｅ  ９/Ｒｅｌｅａｓｅ  １０）の各々を通知するように構成されていてもよい。
【０１００】
本実施形態の第５の特徴において、送信部１２は、無線基地局ｅＮＢ＃１において設定されているパラメータが更新された場合に、周辺無線基地局ｅＮＢ＃２に対して、無線基地局ｅＮＢ＃１に隣接する無線基地局ｅＮＢ配下のセルで共通に使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されていてもよい。
【０１０１】
本実施形態の第６の特徴は、無線基地局ｅＮＢ＃１であって、移動局ＵＥから周辺無線基地局ｅＮＢ＃２の識別情報（ｅＮＢ-ＩＤ）を受信した場合、交換局ＭＭＥを介して、周辺無線基地局ｅＮＢ＃２から、周辺無線基地局ｅＮＢ＃２で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を取得するように構成されている受信部１３を具備することを要旨とする。
【０１０２】
本実施形態の第６の特徴において、移動局ＵＥから周辺無線基地局ｅＮＢ＃２の識別情報（ｅＮＢ-ＩＤ）を受信した場合で、交換局ＭＭＥを介して、周辺無線基地局ｅＮＢ＃２に対して、無線基地局ｅＮＢ＃１で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を通知するように構成されている送信部１２を更に具備してもよい。
【０１０３】
本実施形態の第４乃至第６の特徴において、無線基地局ｅＮＢ＃１で使用されているＲＲＣプロトコル機能のリリース番号が「Ｒｅｌｅａｓｅ  ９」であり、周辺無線基地局ｅＮＢ＃２で使用されているＲＲＣプロトコル機能のリリース番号が「Ｒｅｌｅａｓｅ  ９」よりも古い「Ｒｅｌｅａｓｅ  ８」である場合で、かつ、移動局ＵＥが、無線基地局ｅＮＢ＃１配下のセルにハンドオーバした場合に、移動局ＵＥで使用されているＲＲＣプロトコル機能に関連する設定のうち「Ｒｅｌｅａｓｅ  ８」以降（例えば、Ｒｅｌｅａｓｅ  ９/Ｒｅｌｅａｓｅ  １０/Ｒｅｌｅａｓｅ  １１等）で規定された設定を無効にするように構成されている制御部１４を更に具備してもよい。
【０１０４】
本実施形態の第４乃至第６の特徴において、無線基地局ｅＮＢ＃１で使用されているＲＲＣプロトコル機能のリリース番号が「Ｒｅｌｅａｓｅ  ９」であり、周辺無線基地局ｅＮＢ＃２で使用されているＲＲＣプロトコル機能のリリース番号が「Ｒｅｌｅａｓｅ  ９」よりも古い「Ｒｅｌｅａｓｅ  ８」である場合で、かつ、移動局ＵＥの無線基地局ｅＮＢ＃１配下のセルから周辺無線基地局ｅＮＢ＃２配下のセルへのハンドオーバを行うことが決定された場合に、移動局ＵＥで使用されているＲＲＣプロトコル機能に関連する設定のうち「Ｒｅｌｅａｓｅ  ９」以降（例えば、Ｒｅｌｅａｓｅ  ８/Ｒｅｌｅａｓｅ  １０/Ｒｅｌｅａｓｅ  １１等）で規定された設定を無効にするように構成されている制御部１４を更に具備してもよい。
【０１０５】
なお、上述の無線基地局ｅＮＢや移動局ＵＥや交換局ＭＭＥやゲートウェイ装置ＨｅＮＢ-ＧＷの動作は、ハードウェアによって実施されてもよいし、プロセッサによって実行されるソフトウェアモジュールによって実施されてもよいし、両者の組み合わせによって実施されてもよい。
【０１０６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥや交換局ＭＭＥやゲートウェイ装置ＨｅＮＢ-ＧＷ内に設けられていてもよい。また、かかる記憶媒体及びプロセッサは、ディスクリートコンポーネントとして無線基地局ｅＮＢや移動局ＵＥや交換局ＭＭＥやゲートウェイ装置ＨｅＮＢ-ＧＷ内に設けられていてもよい。
【０１０８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１０９】
ｅＮＢ…無線基地局
１１…ＮＲＴ記憶部
１２…送信部
１３…受信部
１４…制御部
【図１】
2011151761.tif 000003
【図２】
2011151761.tif 000004
【図３】
2011151761.tif 000005
【図４】
2011151761.tif 000006
【図５】
2011151761.tif 000007
【図６】
2011151761.tif 000008
【図７】
2011151761.tif 000009
【図８】
2011151761.tif 000010
【図９】
2011151761.tif 000011
【図１０】
2011151761.tif 000012
【図１１】
2011151761.tif 000013
【図１２】
2011151761.tif 000014
【図１３】
2011151761.tif 000015
【図１４】
2011151761.tif 000016
【図１５】
2011151761.tif 000017
【図１６】
2011151761.tif 000018